(57)【要約】  本発明は周囲光センサおよびその調整方法、ならびに電子製品を開示する。周囲光センサを調整するための方法は、周囲光センサによって受信された光の色温度を取得するステップと、周囲光センサが異なる色温度を有する光を受信したときに、出力光強度が一致することを可能にするために、色温度に基づいて周囲光センサの出力光強度を調整するステップとを有する。周囲光センサは、周囲光センサによって受信された光の色温度を取得するように構成される取得装置と、周囲光センサが異なる色温度を有する光を受信したときに、出力光強度が一致することを可能にするために、取得装置によって取得された色温度に基づいて周囲光センサの出力光強度を調整するように構成される調整装置とを有する。
2015534641.tif 000002
【特許請求の範囲】
【請求項１】
周囲光センサを調整するための方法であって、
前記周囲光センサによって受信された光の色温度を取得するステップと、
前記周囲光センサが異なる色温度を有する光を受信したときに、出力光強度が一致することを可能にするために、異なる色温度に基づいて前記周囲光センサの出力光強度を調整するステップと
を有する、周囲光センサを調整するための方法。
【請求項２】
前記周囲光センサは、可視光および赤外光に対して敏感である第１フォトダイオードと、赤外光に対してのみ敏感である第２フォトダイオードとを有し、
前記周囲光センサによって受信された光の色温度を取得する前記ステップは、
前記周囲光センサによって受信された前記光の光スペクトル曲線と、前記第１フォトダイオードの光感度曲線と、前記第２フォトダイオードの光感度曲線とを取得するステップと、
第１データパラメータCdataを取得するために、前記周囲光センサによって受信された前記光の前記光スペクトル曲線と、前記第１フォトダイオードの前記光感度曲線とを統合するとともに、第２データパラメータIrdataを取得するために、前記周囲光センサによって受信された前記光の前記光スペクトル曲線と、前記第２フォトダイオードの前記光感度曲線とを統合するステップと、
パラメータ比
【数１】
2015534641.tif 000041
を取得するステップであって、前記パラメータ比
【数２】
2015534641.tif 000042
は、前記周囲光センサによって受信された前記光の前記色温度を反映するために使用される、ステップと
を有する、
請求項１に記載の周囲光センサを調整するための方法。
【請求項３】
前記周囲光センサの前記出力光強度は、以下の出力光強度の計算式：
Lux = K × MAX [ ( Cdata − B × Irdata ) , ( C × Cdata − D × Irdata ) , 0 ]
に基づいて取得され、Luxは前記周囲光センサの出力光強度であり、K、B、CおよびDは、前記周囲光センサの前記出力光強度が、人間の目によって知覚される光強度に近くなることを可能にするために使用される係数であり、MAXは最大値を取得するための演算記号であり、
前記周囲光センサが異なる色温度を有する光を受信したときに、出力光強度が一致することを可能にするために、異なる色温度に基づいて前記周囲光センサの出力光強度を調整する前記ステップの処理は、
パラメータ比
【数３】
2015534641.tif 000043
が異なる場合に、前記周囲光センサの前記出力光強度Luxが一致することを可能にするために、異なるパラメータ比
【数４】
2015534641.tif 000044
に基づいて、前記出力光強度の計算式におけるKの値を調整するステップ
である、請求項２に記載の周囲光センサを調整するための方法。
【請求項４】
パラメータ比
【数５】
2015534641.tif 000045
が異なる場合に、前記周囲光センサの前記出力光強度Luxが一致することを可能にするために、異なるパラメータ比
【数６】
2015534641.tif 000046
に基づいて、前記出力光強度の計算式におけるKの値を調整する前記ステップの処理は、
前記パラメータ比
【数７】
2015534641.tif 000047
が異なる場合に、前記周囲光センサの前記出力光強度が、前記周囲光センサによって受信された前記光の強度と等しくなることを可能にするために、前記異なるパラメータ比
【数８】
2015534641.tif 000048
に基づいて、前記出力光強度の計算式における前記Kの値を調整するステップ
である、請求項３に記載の周囲光センサを調整するための方法。
【請求項５】
周囲光センサであって、
前記周囲光センサによって受信された光の色温度を取得するように構成される取得装置と、
前記周囲光センサが異なる色温度を有する光を受信したときに、出力光強度が一致することを可能にするために、前記取得装置によって取得された異なる色温度に基づいて前記周囲光センサの出力光強度を調整するように構成される調整装置と
を有する、周囲光センサ。
【請求項６】
可視光および赤外光に対して敏感である第１フォトダイオードと、赤外光に対してのみ敏感である第２フォトダイオードとをさらに有し、
前記取得装置は、
前記周囲光センサによって受信された前記光の光スペクトル曲線と、前記第１フォトダイオードの光感度曲線と、前記第２フォトダイオードの光感度曲線とを取得するように構成されるサブ取得装置と、
第１データパラメータCdataを取得するために、前記周囲光センサによって受信された前記光の前記光スペクトル曲線と、前記第１フォトダイオードの前記光感度曲線との統合を可能にするとともに、第２データパラメータIrdataを取得するために、前記周囲光センサによって受信された前記光の前記光スペクトル曲線と、前記第２フォトダイオードの前記光感度曲線との統合を可能にするように構成される統合装置と、
パラメータ比
【数９】
2015534641.tif 000049
を取得するように構成されるパラメータ比計算器であって、前記パラメータ比
【数１０】
2015534641.tif 000050
は、前記周囲光センサによって受信された前記光の前記色温度を反映するために使用される、パラメータ比計算器と
を有する、請求項５に記載の周囲光センサ。
【請求項７】
前記出力光強度を計算するように構成される出力光強度計算器であって、出力光強度の計算式は：
Lux = K × MAX [ ( Cdata − B × Irdata ) , ( C × Cdata − D × Irdata ) , 0 ]
であり、Luxは前記周囲光センサの出力光強度であり、K、B、CおよびDは、前記周囲光センサの前記出力光強度が、人間の目によって知覚される光強度に近くなることを可能にするために使用される係数であり、MAXは最大値を取得するための演算記号である、出力光強度計算器をさらに有し、
前記調整装置は、具体的には、パラメータ比
【数１１】
2015534641.tif 000051
が異なる場合に、前記周囲光センサの前記出力光強度Luxが一致することを可能にするために、異なるパラメータ比
【数１２】
2015534641.tif 000052
に基づいて、前記出力光強度の計算式におけるKの値を調整するように構成される、
請求項６に記載の周囲光センサ。
【請求項８】
前記調整装置は、具体的には、
前記パラメータ比
【数１３】
2015534641.tif 000053
が異なる場合に、前記周囲光センサの前記出力光強度が、前記周囲光センサによって受信された前記光の強度と等しくなることを可能にするために、前記異なるパラメータ比
【数１４】
2015534641.tif 000054
に基づいて、前記出力光強度の計算式における前記Kの値を調整するように構成される、
請求項７に記載の周囲光センサ。
【請求項９】
表示機器と、前記表示機器に接続される表示の明るさを調整する機器と、請求項５乃至８のいずれか１項に記載の前記周囲光センサとを有する電子機器であって、前記周囲光センサは、前記表示の明るさを調整する機器に接続される、電子機器。
【発明の詳細な説明】
【技術分野】
【０００１】
本発明はセンサ技術の分野に関し、より詳細には、周囲光センサおよびその調整方法、ならびに電子製品に関する。
【背景技術】
【０００２】
現在、電子製品のユーザエクスペリエンスの度合いはますます改善されている。例えば、携帯電話は異なる光源環境において使用される。携帯電話における周囲光センサは、外部光源の明るさを検出することができ、携帯電話は、外部光源の明るさに基づいて携帯電話のディスプレイの明るさを自動的に調整する。具体的には、外部の周囲光の明るさが比較的低いとき、携帯電話のディスプレイの明るさは低下し、その結果、ユーザは目まいを感じず、電力消費量が低減される。外部の周囲光の明るさが比較的高いとき、ユーザが画面を明確に見ることができないという現象を回避するために、携帯電話のディスプレイの明るさは高くなる。従って、周囲光センサの使用は、ユーザエクスペリエンスの度合いを改善するとともに、携帯電話の電力消費量を低減する。
【０００３】
しかしながら、既存の周囲光センサの出力光強度は、異なる色温度を有する周囲光の下では一貫性がなく、例えば、デイライト（ｄａｙｌｉｇｈｔ）色、クールホワイト（ｃｏｏｌｗｈｉｔｅ）色、ホライズン（ｈｏｒｉｚｏｎ）色は、色温度が高い値から低い値に及ぶ３種類の典型的な光源である。図１に示されるように、異なる色温度を有する３種類の周囲光の下では、周囲光センサの出力光強度の曲線の傾きは異なる。従って、ある特定の光源の下のみにおける光強度は、比較的正確に検出されることができ、異なる色温度の下で周囲光の強度の検出が実行される場合は、逸脱が生じる。
【発明の概要】
【課題を解決するための手段】
【０００４】
本発明は周囲光センサおよびその調整方法、ならびに電子製品を提供し、異なる色温度を有する周囲光の下で周囲光センサの出力光強度が一致することを可能にし、それによって、異なる色温度を有する周囲光の強度が検出されるときに、出力光強度の逸脱を回避することができる。
【０００５】
前述の技術的な問題を解決するために、本発明は以下の技術的解決手段を使用する。
【０００６】
１つの態様に基づくと、周囲光センサを調整するための方法が提供され、前記方法は、
前記周囲光センサによって受信された光の色温度を取得するステップと、
前記周囲光センサが異なる色温度を有する光を受信したときに、出力光強度が一致することを可能にするために、色温度に基づいて前記周囲光センサの出力光強度を調整するステップと
を有する。
【０００７】
さらに、前記周囲光センサは、可視光および赤外光に対して敏感である第１フォトダイオードと、赤外光に対してのみ敏感である第２フォトダイオードとを有し、
前記周囲光センサによって受信された光の色温度を取得する前記ステップは、
前記周囲光センサによって受信された前記光の光スペクトル曲線と、前記第１フォトダイオードの光感度曲線と、前記第２フォトダイオードの光感度曲線とを取得するステップと、
第１データパラメータCdataを取得するために、前記周囲光センサによって受信された前記光の前記光スペクトル曲線と、前記第１フォトダイオードの前記光感度曲線とを統合するとともに、第２データパラメータIrdataを取得するために、前記周囲光センサによって受信された前記光の前記光スペクトル曲線と、前記第２フォトダイオードの前記光感度曲線とを統合するステップと、
パラメータ比
【数１】
2015534641.tif 000003
を取得するステップであって、前記パラメータ比
【数２】
2015534641.tif 000004
は、前記周囲光センサによって受信された前記光の前記色温度を反映するために使用される、ステップと
を有し、前記周囲光センサの前記出力光強度は、以下の出力光強度の計算式：
Lux = K × MAX [ ( Cdata − B × Irdata ) , ( C × Cdata − D × Irdata ) , 0 ]
に基づいて取得され、Luxは前記周囲光センサの出力光強度であり、K、B、CおよびDは、前記周囲光センサの前記出力光強度が、人間の目によって知覚される光強度に近くなることを可能にするために使用される係数であり、MAXは最大値を取得するための演算記号であり、
前記周囲光センサが異なる色温度を有する光を受信したときに、出力光強度が一致することを可能にするために、色温度に基づいて前記周囲光センサの出力光強度を調整する前記ステップの処理は、
パラメータ比
【数３】
2015534641.tif 000005
が異なる場合に、前記周囲光センサの前記出力光強度Luxが一致することを可能にするために、異なるパラメータ比
【数４】
2015534641.tif 000006
に基づいて、前記出力光強度の計算式におけるKの値を調整するステップ
である。
【０００８】
さらに、パラメータ比
【数５】
2015534641.tif 000007
が異なる場合に、前記周囲光センサの前記出力光強度Luxが一致することを可能にするために、異なるパラメータ比
【数６】
2015534641.tif 000008
に基づいて、前記出力光強度の計算式におけるKの値を調整する前記ステップの処理は、
前記パラメータ比
【数７】
2015534641.tif 000009
が異なる場合に、前記周囲光センサの前記出力光強度が、前記周囲光センサによって受信された前記光の強度と等しくなることを可能にするために、前記異なるパラメータ比
【数８】
2015534641.tif 000010
に基づいて、前記出力光強度の計算式における前記Kの値を調整するステップ
である。
【０００９】
他の態様に基づくと、周囲光センサが提供され、前記周囲光センサは、
前記周囲光センサによって受信された光の色温度を取得するように構成される取得装置と、
前記周囲光センサが異なる色温度を有する光を受信したときに、出力光強度が一致することを可能にするために、前記取得装置によって取得された色温度に基づいて前記周囲光センサの出力光強度を調整するように構成される調整装置と
を有する。
【００１０】
さらに、前記周囲光センサは、可視光および赤外光に対して敏感である第１フォトダイオードと、赤外光に対してのみ敏感である第２フォトダイオードとをさらに有し、
前記取得装置は、
前記周囲光センサによって受信された前記光の光スペクトル曲線と、前記第１フォトダイオードの光感度曲線と、前記第２フォトダイオードの光感度曲線とを取得するように構成されるサブ取得装置と、
第１データパラメータCdataを取得するために、前記周囲光センサによって受信された前記光の前記光スペクトル曲線と、前記第１フォトダイオードの前記光感度曲線との統合を可能にするとともに、第２データパラメータIrdataを取得するために、前記周囲光センサによって受信された前記光の前記光スペクトル曲線と、前記第２フォトダイオードの前記光感度曲線との統合を可能にするように構成される統合装置と、
パラメータ比
【数９】
2015534641.tif 000011
を取得するように構成されるパラメータ比計算器であって、前記パラメータ比
【数１０】
2015534641.tif 000012
は、前記周囲光センサによって受信された前記光の前記色温度を反映するために使用される、パラメータ比計算器と
を有する。
【００１１】
さらに、前記周囲光センサは、前記出力光強度を計算するように構成される出力光強度計算器であって、出力光強度の計算式は：
Lux = K × MAX [ ( Cdata − B × Irdata ) , ( C × Cdata − D × Irdata ) , 0 ]
であり、Luxは前記周囲光センサの出力光強度であり、K、B、CおよびDは、前記周囲光センサの前記出力光強度が、人間の目によって知覚される光強度に近くなることを可能にするために使用される係数であり、MAXは最大値を取得するための演算記号である、出力光強度計算器をさらに有し、
前記調整装置は、具体的には、パラメータ比
【数１１】
2015534641.tif 000013
が異なる場合に、前記周囲光センサの前記出力光強度Luxが一致することを可能にするために、異なるパラメータ比
【数１２】
2015534641.tif 000014
に基づいて、前記出力光強度の計算式におけるKの値を調整するように構成される。
【００１２】
さらに、前記調整装置は、具体的には、
前記パラメータ比
【数１３】
2015534641.tif 000015
が異なる場合に、前記周囲光センサの前記出力光強度が、前記周囲光センサによって受信された前記光の強度と等しくなることを可能にするために、前記異なるパラメータ比
【数１４】
2015534641.tif 000016
に基づいて、前記出力光強度の計算式における前記Kの値を調整するように構成される。
【００１３】
他の態様に基づくと、電子製品が提供され、前記電子製品は、表示機器と、前記表示機器に接続される表示の明るさを調整する機器と、前述の周囲光センサとを有し、前記周囲光センサは、前記表示の明るさを調整する機器に接続される。
【００１４】
本発明によって提供される周囲光センサおよびその調整方法、ならびに電子製品に基づくと、周囲光センサの出力光強度は、周囲光センサが異なる色温度を有する光を受信したときに、出力光強度が一致することを可能にするために、異なる色温度を有する受信された光に基づいて調整され、それによって、周囲光センサが異なる色温度を有する周囲光の強度を検出するときに生じる出力光強度の逸脱を回避することができる。
【図面の簡単な説明】
【００１５】
本発明の実施形態または従来技術における技術的解決手段をより明確に説明するために、以下では、実施形態または従来技術を説明するために必要とされる添付図面を、簡潔に説明する。明らかに、以下の説明における添付図面は、単に本発明のいくつかの実施形態を示すとともに、当業者は、創造的努力なしにこれらの添付図面から他の図面をさらに導出することができる。
【００１６】
【図１】図１は、従来技術における、異なる色温度を有する周囲光の下での周囲光センサの出力光強度曲線である。
【図２】図２は、本発明の実施形態に係る周囲光センサを調整するための方法のフローチャートである。
【図３】図３は、本発明の実施形態に係る周囲光センサを調整するための他の方法のフローチャートである。
【図４】図４は、本発明の実施形態に係る第１フォトダイオードおよび第２フォトダイオードの光感度曲線である。
【図５】図５は、本発明の実施形態に係る、Kの値が調整される前と、Kの値が調整された後の周囲光センサの出力光強度曲線である。
【図６】図６は、本発明の実施形態に係る周囲光センサの構成ブロック図である。
【図７】図７は、本発明の実施形態に係る他の周囲光センサの構成ブロック図である。
【発明を実施するための形態】
【００１７】
以下では、本発明の実施形態における添付図面を参照して、本発明の実施形態における技術的解決手段を、明確且つ十分に説明する。明らかに、説明される実施形態は、本発明の実施形態の全てではなく、単に一部である。当業者によって、創造的努力なしに本発明の実施形態に基づいて得られる全ての他の実施形態は、本発明の保護範囲に包含されるべきである。
【００１８】
図２に示されるように、本発明の実施形態は、周囲光センサを調整するための方法を提供し、前記方法は、以下のステップを有する。
【００１９】
ステップ１０１：周囲光センサによって受信された光の色温度を取得する。
【００２０】
ステップ１０２：周囲光センサが異なる色温度を有する光を受信したときに、出力光強度が一致することを可能にするために、異なる色温度に基づいて周囲光センサの出力光強度を調整する。
【００２１】
具体的には、周囲光センサの出力光強度は、式の計算によって取得され、前記式は、出力光強度が、受信された光の強度に正比例することを反映することができる。従って、異なる係数を式に追加することで、出力光強度と受信された光の強度の比例関係を変更することができ、その結果、周囲光センサが異なる色温度を有する光を受信したときに出力光強度の一貫性を実現するために、出力光強度は、受信された光の異なる色温度に基づいて調整されることができる。
【００２２】
本発明の本実施形態における周囲光センサを調整するための方法に基づくと、周囲光センサの出力光強度は、周囲光センサが異なる色温度を有する光を受信したときに、出力光強度が一致することを可能にするために、異なる色温度を有する受信された光に基づいて調整され、それによって、周囲光センサが異なる色温度を有する周囲光の強度を検出するときに生じる出力光強度の逸脱を回避することができる。
【００２３】
さらに、前述の周囲光センサは、具体的には、可視光および赤外光に対して敏感である第１フォトダイオードと、赤外光に対してのみ敏感である第２フォトダイオードとを有する。
【００２４】
図３に示されるように、前述のステップ１０１における、周囲光センサによって受信された光の色温度を取得するステップは、具体的には、以下のステップを有する。
【００２５】
ステップ１０１１：周囲光センサによって受信された光の光スペクトル曲線と、第１フォトダイオードの光感度曲線と、第２フォトダイオードの光感度曲線とを取得する。
【００２６】
具体的には、フォトダイオード自体の特性に基づくと、フォトダイオードは異なる光感度曲線を有する。例えば、図４に示されるように、Ch0とCh1はそれぞれ、第１フォトダイオードと第２フォトダイオードの光感度曲線である。Ch0上では、第１フォトダイオードは、300-700nmの波長を有する可視光および700-1100nmの波長を有する赤外光の範囲内で比較的敏感であるが、Ch1上では、第２フォトダイオードは、目に見えない赤外光の範囲内でのみ比較的敏感であることが見てとれる。ここで、２つの曲線Ch0およびCh1は、例として使用されるだけであり、Ch0が第１フォトダイオードは可視光と赤外光の両方に対して敏感であることを反映するとともに、Ch1が第２フォトダイオードは赤外光に対してのみ敏感であることを反映する限り、周囲光センサにおけるフォトダイオードの実際の特性に基づいて、Ch0およびCh1は他の形状であってもよい。
【００２７】
ステップ１０１２：第１データパラメータCdataを取得するために、周囲光センサによって受信された光の光スペクトル曲線と、第１フォトダイオードの光感度曲線とを統合するとともに、第２データパラメータIrdataを取得するために、周囲光センサによって受信された光の光スペクトル曲線と、第２フォトダイオードの光感度曲線とを統合する。
【００２８】
ステップ１０１３：パラメータ比
【数１５】
2015534641.tif 000017
を取得し、パラメータ比
【数１６】
2015534641.tif 000018
は、周囲光センサによって受信された光の色温度を反映するために使用される。
【００２９】
例えば、本発明の本実施形態では、2300Kの色温度を有するホライズン（ｈｏｒｉｚｏｎ）光のパラメータ比は、
【数１７】
2015534641.tif 000019
であり、6900Kの色温度を有するデイライト（ｄａｙｌｉｇｈｔ）のパラメータ比は、
【数１８】
2015534641.tif 000020
であり、4200Kの色温度を有するクールホワイト（ｃｏｏｌｗｈｉｔｅ）のパラメータ比は、
【数１９】
2015534641.tif 000021
である。
【００３０】
具体的には、周囲光センサの出力光強度は、以下の出力光強度の計算式：
Lux = K × MAX [ ( Cdata − B × Irdata ) , ( C × Cdata − D × Irdata ) , 0 ]
に基づいて取得され、Luxは周囲光センサの出力光強度であり、K、B、CおよびDは、周囲光センサの出力光強度が、人間の目によって知覚される光強度に近くなることを可能にするために使用される係数であり、MAXは最大値を取得するための演算記号である。出力光強度の計算式は、出力光強度が受信された光の強度に正比例することを反映することができ、従って、異なる係数を出力光強度の計算式に追加することで、出力光強度と受信された光の強度の比例関係を変更することができ、Kの値を調整することは、出力光強度の計算式に異なる係数を追加することに相当する。
【００３１】
前述のステップ１０２における、周囲光センサが異なる色温度を有する光を受信したときに、出力光強度が一致することを可能にするために、色温度に基づいて周囲光センサの出力光強度を調整するステップの処理は、具体的には、
パラメータ比
【数２０】
2015534641.tif 000022
が異なる場合に、周囲光センサの出力光強度Luxが一致することを可能にするために、異なるパラメータ比
【数２１】
2015534641.tif 000023
に基づいて、出力光強度の計算式におけるKの値を調整すること
である。
【００３２】
例えば、パラメータ比が
【数２２】
2015534641.tif 000024
であり、K’が
【数２３】
2015534641.tif 000025
に調整され、K’は、調整後の出力光強度の計算式における係数である場合、Kの値の調整は、係数
【数２４】
2015534641.tif 000026
を出力光強度の計算式に追加することに相当する。パラメータ比が
【数２５】
2015534641.tif 000027
である場合、K’は
【数２６】
2015534641.tif 000028
に調整される。パラメータ比が
【数２７】
2015534641.tif 000029
である場合、K’は
【数２８】
2015534641.tif 000030
に調整される。図５に示されるように、Kの値が調整される前は、異なる色温度を有する３種類の周囲光の下で、周囲光センサの出力光強度曲線は異なる傾きを有する。Kの値が調整された後、周囲光センサの出力光強度曲線の傾きは同じであり、すなわち、周囲光センサの出力光強度は、一致することを可能にされる。
【００３３】
好ましくは、パラメータ比
【数２９】
2015534641.tif 000031
が異なる場合に、周囲光センサの出力光強度Luxが一致することを可能にするために、異なるパラメータ比
【数３０】
2015534641.tif 000032
に基づいて、出力光強度の計算式におけるKの値を調整するステップの処理は、具体的には、パラメータ比
【数３１】
2015534641.tif 000033
が異なる場合に、周囲光センサの出力光強度が、周囲光センサによって受信された光の強度と等しくなることを可能にするために、異なるパラメータ比
【数３２】
2015534641.tif 000034
に基づいて、出力光強度の計算式におけるKの値を調整することである。
【００３４】
具体的には、例えば、図５に示されるように、異なる色温度を有する３種類の周囲光の下で、破線は、Kの値が調整される前の、周囲光センサの出力光強度曲線であるとともに、実線は、Kの値が調整された後の、周囲光センサの出力光強度曲線である。Kの値が調整された後、異なる色温度を有する３種類の周囲光の下で、周囲光センサの出力光強度曲線の傾きは、全て１である。
【００３５】
また、Kの値が調整された後、異なる色温度を有する３種類の周囲光の下で、周囲光センサの出力光強度曲線の傾きが、全て1.2または0.8または別の数値であるように設定されてもよいことは確かである。周囲光センサの出力光強度は、傾きが同じである限りは一致することが可能である。しかしながら、周囲光センサの出力光強度は、傾きが１であるとき、実際の周囲光の強度を最もよく反映することができる、周囲光センサによって受信された光の強度と同じである。それによって、周囲光センサによって検出された明るさが、人間の目によって知覚される明るさと一致することを可能にする。
【００３６】
フォトダイオードは周囲光センサにおける光の明るさを検出するための要素であり、フォトダイオードは赤外光に対して非常に敏感であるとともに、赤外光は可視光内にあるため、人間の目の明るさの知覚を正確にシミュレートすることは不可能であることは留意されるべきである。従って、本発明の本実施形態における周囲光センサは、可視光および赤外光に対して敏感である第１フォトダイオードと、赤外光に対してのみ敏感である第２フォトダイオードとを有し、人間の目の実際の明るさの知覚をシミュレートするために、赤外光の干渉を最小まで低減するために、後者の応答値は前者の応答値から最終的に減算される。周囲光センサはまた、フォトダイオードを１つだけ有してもよく、赤外光の干渉は、赤外線カットオフ膜または別の処理方法を使用することによって低減されることは理解できる。フォトダイオードが１つだけ存在する場合は、周囲光センサの出力光強度の計算式は異なってもよいが、依然として、出力光強度は係数を追加する方法によって調整されることができる。さらに、本発明の本実施形態は、異なる色温度、すなわち、一例として、ホライズン光と、デイライトと、クールホワイトとを有する３種類の周囲光に対して実行される出力光強度の調整を使用することによってのみ説明され、必要に応じて、周囲光の色温度に対してより詳細な分割またはより広範囲の分割がまた行われてもよい。
【００３７】
本発明の本実施形態における周囲光センサを調整するための方法に基づくと、周囲光センサの出力光強度は、周囲光センサが異なる色温度を有する光を受信したときに、出力光強度が一致することを可能にするために、異なる色温度を有する受信された光に基づいて調整され、それによって、周囲光センサが異なる色温度を有する周囲光の強度を検出するときに生じる出力光強度の逸脱を回避することができる。
【００３８】
図６に示されるように、本発明の実施形態はさらに、周囲光センサを提供し、前記周囲光センサは、
周囲光センサによって受信された光の色温度を取得するように構成される取得装置１と、
周囲光センサが異なる色温度を有する光を受信したときに、出力光強度が一致することを可能にするために、取得装置によって取得された異なる色温度に基づいて周囲光センサの出力光強度を調整するように構成される調整装置２と
を有する。
【００３９】
具体的には、周囲光センサを調整するための方法および原理は、前述の実施形態における方法および原理と同じであり、ここでは繰り返し詳細は説明されない。
【００４０】
本発明の本実施形態における周囲光センサに基づくと、周囲光センサの出力光強度は、周囲光センサが異なる色温度を有する光を受信したときに、出力光強度が一致することを可能にするために、異なる色温度を有する受信された光に基づいて調整され、それによって、周囲光センサが異なる色温度を有する周囲光の強度を検出するときに生じる出力光強度の逸脱を回避することができる。
【００４１】
さらに、図７に示されるように、前述の周囲光センサは、
可視光および赤外光に対して敏感である第１フォトダイオードＤ１と、赤外光に対してのみ敏感である第２フォトダイオードＤ２とをさらに有し、
取得装置１は、
周囲光センサによって受信された光の光スペクトル曲線と、第１フォトダイオード４の光感度曲線と、第２フォトダイオード５の光感度曲線とを取得するように構成されるサブ取得装置１１と、
第１データパラメータCdataを取得するために、周囲光センサによって受信された光の光スペクトル曲線と、第１フォトダイオード４の光感度曲線との統合を可能にするとともに、第２データパラメータIrdataを取得するために、周囲光センサによって受信された光の光スペクトル曲線と、第２フォトダイオード５の光感度曲線との統合を可能にするように構成される統合装置１２と、
パラメータ比
【数３３】
2015534641.tif 000035
を取得するように構成されるパラメータ比計算器１３であって、前記パラメータ比
【数３４】
2015534641.tif 000036
は、周囲光センサによって受信された光の色温度を反映するために使用される、パラメータ比計算器１３と
を有する。
【００４２】
さらに、前述の周囲光センサは、
前述の出力光強度を計算するように構成される出力光強度計算器３であって、出力光強度の計算式は：
Lux = K × MAX [ ( Cdata − B × Irdata ) , ( C × Cdata − D × Irdata ) , 0 ]
であり、Luxは周囲光センサの出力光強度であり、K、B、CおよびDは、周囲光センサの出力光強度が、人間の目によって知覚される光強度に近くなることを可能にするために使用される係数であり、MAXは最大値を取得するための演算記号である、出力光強度計算器３をさらに有し、
調整装置２は、具体的には、パラメータ比
【数３５】
2015534641.tif 000037
が異なる場合に、周囲光センサの出力光強度Luxが一致することを可能にするために、異なるパラメータ比
【数３６】
2015534641.tif 000038
に基づいて、出力光強度の計算式におけるKの値を調整するように構成される。
【００４３】
さらに、調整装置２は、具体的には、
パラメータ比
【数３７】
2015534641.tif 000039
が異なる場合に、周囲光センサの出力光強度が、周囲光センサによって受信された光の強度と等しくなることを可能にするために、異なるパラメータ比
【数３８】
2015534641.tif 000040
に基づいて、出力光強度の計算式におけるKの値を調整するように構成される。
【００４４】
具体的には、周囲光センサを調整するための方法及び原理は、前述の実施形態における方法および原理と同じであり、ここでは繰り返し詳細は説明されない。
【００４５】
本発明の本実施形態における周囲光センサに基づくと、周囲光センサの出力光強度は、周囲光センサが異なる色温度を有する光を受信したときに、出力光強度が一致することを可能にするために、異なる色温度を有する受信された光に基づいて調整され、それによって、周囲光センサが異なる色温度を有する周囲光の強度を検出するときに生じる出力光強度の逸脱を回避することができる。
【００４６】
本発明の実施形態はさらに電子製品を提供し、前記電子製品は、表示機器と、表示機器に接続される表示の明るさを調整する機器と、前述の周囲光センサとを有し、周囲光センサは、表示の明るさを調整する機器に接続され、表示の明るさを調整する機器は、周囲光センサの出力光強度に基づいて、表示機器の明るさを調整するように構成される。具体的には、周囲光センサの出力光強度が比較的低いとき、すなわち、周囲光の強度が比較的低いとき、この場合は、表示機器の明るさは低下し、その結果、ユーザは目まいを感じず、電力消費量が低減される。周囲光センサの出力光強度が比較的高いとき、すなわち、周囲光の強度が比較的高いとき、この場合は、表示機器の明るさは高くなり、ユーザが画面を明確に見ることができないという現象を回避する。周囲光センサの具体的な構造および調整方法は、前述の実施形態における構造および調整方法と同じであり、ここでは繰り返し詳細は説明されない。
【００４７】
前述の電子製品は、携帯電話、ＭＰ４、タブレットコンピュータまたは別のポータブル電子装置であってもよいことは留意されるべきである。前述の周囲光センサは、別々に機能するセンサであってもよいとともに、また、スリー・イン・ワン光センサ内に統合されてもよい。例えば、周囲光センサを有することに加えて、携帯電話内のスリー・イン・ワン光センサはまた、赤外線ＬＥＤおよび光学式近接センサに統合され、赤外線ＬＥＤは近接光を発するように構成され、光学式近接センサは携帯電話が顔に近づいたときに、顔によって反射された近接光を受信するように構成され、それによって、電力消費量を低減するためにスクリーンを閉じる。
【００４８】
本発明の本実施形態における電子製品に基づくと、周囲光センサの出力光強度は、周囲光センサが異なる色温度を有する光を受信したときに、出力光強度が一致することを可能にするために、異なる色温度を有する受信された光に基づいて調整され、それによって、周囲光センサが異なる色温度を有する周囲光の強度を検出するときに生じる出力光強度の逸脱を回避することができる。
【００４９】
実施方式の前述の説明に基づいて、当業者は、本発明は必要な汎用ハードウェアに加えてソフトウェアによって、またはハードウェアのみによって実施されてもよいことを明らかに理解することができる。ほとんどの状況では、前者が好ましい実施方式である。そのような理解に基づいて、本発明の技術的解決手段は、本質的に、または従来技術に対して貢献する部分は、ソフトウェア製品の形態で実施されてもよい。ソフトウェア製品は、コンピュータのフロッピー（登録商標）ディスクや、ハードディスクや、または光ディスクのような、可読記憶媒体内に格納されるとともに、本発明の実施形態で説明された方法を実行するために、コンピュータ装置（パーソナルコンピュータ、サーバまたはネットワーク装置であってもよい）に命令するためのいくつかの命令を有する。
【００５０】
前述の説明は、単に、本発明の具体的な実施方式であって、本発明の保護範囲を限定するものではない。本発明において開示された技術範囲内の、当業者によって容易に考えられるいかなる変更または置換も、本発明の保護範囲に包含されるべきである。したがって、本発明の保護範囲は、特許請求の範囲の保護範囲に従うべきである。
【符号の説明】
【００５１】
１  取得装置
２  調整装置
３  出力光強度計算器
４  第１フォトダイオード
５  第２フォトダイオード
１１  サブ取得装置
１２  統合装置
１３  パラメータ比計算器
【図１】
2015534641.tif 000055
【図２】
2015534641.tif 000056
【図３】
2015534641.tif 000057
【図４】
2015534641.tif 000058
【図５】
2015534641.tif 000059
【図６】
2015534641.tif 000060
【図７】
2015534641.tif 000061
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
周囲光センサを調整するための方法であって、
前記周囲光センサによって受信された光の色温度を取得するステップと、
異なる色温度を有する受信された光の下で、前記周囲光センサの出力光強度が一致することを可能にするために、前記色温度に基づいて前記周囲光センサの出力光強度を調整するステップと
を有する、周囲光センサを調整するための方法。
【請求項２】
前記周囲光センサは、可視光および赤外光に対して敏感である第１フォトダイオードと、赤外光に対してのみ敏感である第２フォトダイオードとを有し、
前記周囲光センサによって受信された光の色温度を取得する前記ステップは、
前記周囲光センサによって受信された前記光の光スペクトル曲線と、前記第１フォトダイオードの光感度曲線と、前記第２フォトダイオードの光感度曲線とを取得するステップと、
第１データパラメータCdataを取得するために、前記周囲光センサによって受信された前記光の前記光スペクトル曲線と、前記第１フォトダイオードの前記光感度曲線とを統合するとともに、第２データパラメータIrdataを取得するために、前記周囲光センサによって受信された前記光の前記光スペクトル曲線と、前記第２フォトダイオードの前記光感度曲線とを統合するステップと、
パラメータ比
【数１】
2015534641.tif 000062
を取得するステップであって、前記パラメータ比
【数２】
2015534641.tif 000063
は、前記周囲光センサによって受信された前記光の前記色温度を反映するために使用される、ステップと
を有する、
請求項１に記載の周囲光センサを調整するための方法。
【請求項３】
前記周囲光センサの前記出力光強度は、以下の出力光強度の計算式：
Lux = K × MAX [ ( Cdata − B × Irdata ) , ( C × Cdata − D × Irdata ) , 0 ]
に基づいて取得され、Luxは前記周囲光センサの出力光強度であり、K、B、CおよびDは、前記周囲光センサの前記出力光強度が、人間の目によって知覚される光強度に近くなることを可能にするために使用される係数であり、MAXは最大値を取得するための演算記号であり、
異なる色温度を有する受信された光の下で、前記周囲光センサの出力光強度が一致することを可能にするために、前記色温度に基づいて前記周囲光センサの出力光強度を調整する前記ステップの処理は、
異なるパラメータ比
【数３】
2015534641.tif 000064
に対して、前記周囲光センサの前記出力光強度Luxが一致することを可能にするために、異なるパラメータ比
【数４】
2015534641.tif 000065
に基づいて、前記出力光強度の計算式におけるKの値を調整するステップ
である、請求項２に記載の周囲光センサを調整するための方法。
【請求項４】
異なるパラメータ比
【数５】
2015534641.tif 000066
に対して、前記周囲光センサの前記出力光強度Luxが一致することを可能にするために、異なるパラメータ比
【数６】
2015534641.tif 000067
に基づいて、前記出力光強度の計算式におけるKの値を調整する前記ステップの処理は、
前記パラメータ比
【数７】
2015534641.tif 000068
に対して、前記周囲光センサの前記出力光強度が、前記周囲光センサによって受信された前記光の強度と等しくなることを可能にするために、前記異なるパラメータ比
【数８】
2015534641.tif 000069
に基づいて、前記出力光強度の計算式における前記Kの値を調整するステップ
である、請求項３に記載の周囲光センサを調整するための方法。
【請求項５】
周囲光センサであって、
前記周囲光センサによって受信された光の色温度を取得するように構成される取得装置と、
異なる色温度を有する受信された光の下で、前記周囲光センサの出力光強度が一致することを可能にするために、前記取得装置によって取得された前記色温度に基づいて前記周囲光センサの出力光強度を調整するように構成される調整装置と
を有する、周囲光センサ。
【請求項６】
可視光および赤外光に対して敏感である第１フォトダイオードと、赤外光に対してのみ敏感である第２フォトダイオードとをさらに有し、
前記取得装置は、
前記周囲光センサによって受信された前記光の光スペクトル曲線と、前記第１フォトダイオードの光感度曲線と、前記第２フォトダイオードの光感度曲線とを取得するように構成されるサブ取得装置と、
第１データパラメータCdataを取得するために、前記周囲光センサによって受信された前記光の前記光スペクトル曲線と、前記第１フォトダイオードの前記光感度曲線とを統合するとともに、第２データパラメータIrdataを取得するために、前記周囲光センサによって受信された前記光の前記光スペクトル曲線と、前記第２フォトダイオードの前記光感度曲線とを統合するように構成される統合装置と、
パラメータ比
【数９】
2015534641.tif 000070
を取得するように構成されるパラメータ比計算器であって、前記パラメータ比
【数１０】
2015534641.tif 000071
は、前記周囲光センサによって受信された前記光の前記色温度を反映するために使用される、パラメータ比計算器と
を有する、請求項５に記載の周囲光センサ。
【請求項７】
前記出力光強度を計算するように構成される出力光強度計算器であって、出力光強度の計算式は：
Lux = K × MAX [ ( Cdata − B × Irdata ) , ( C × Cdata − D × Irdata ) , 0 ]
であり、Luxは前記周囲光センサの出力光強度であり、K、B、CおよびDは、前記周囲光センサの前記出力光強度が、人間の目によって知覚される光強度に近くなることを可能にするために使用される係数であり、MAXは最大値を取得するための演算記号である、出力光強度計算器をさらに有し、
前記調整装置は、具体的には、異なるパラメータ比
【数１１】
2015534641.tif 000072
に対して、前記周囲光センサの前記出力光強度Luxが一致することを可能にするために、異なるパラメータ比
【数１２】
2015534641.tif 000073
に基づいて、前記出力光強度の計算式におけるKの値を調整するように構成される、
請求項６に記載の周囲光センサ。
【請求項８】
前記調整装置は、具体的には、
前記パラメータ比
【数１３】
2015534641.tif 000074
に対して、前記周囲光センサの前記出力光強度が、前記周囲光センサによって受信された前記光の強度と等しくなることを可能にするために、前記異なるパラメータ比
【数１４】
2015534641.tif 000075
に基づいて、前記出力光強度の計算式における前記Kの値を調整するように構成される、
請求項７に記載の周囲光センサ。
【請求項９】
表示機器と、前記表示機器に接続される表示の明るさを調整する機器と、請求項５乃至８のいずれか１項に記載の前記周囲光センサとを有する電子機器であって、前記周囲光センサは、前記表示の明るさを調整する機器に接続される、電子機器。
【手続補正２】
【補正対象書類名】明細書
【補正対象項目名】００２０
【補正方法】変更
【補正の内容】
【００２０】
ステップ１０２：異なる色温度を有する受信された光の下で、周囲光センサの出力光強度が一致することを可能にするために、前記色温度に基づいて周囲光センサの出力光強度を調整する。
【手続補正３】
【補正対象書類名】明細書
【補正対象項目名】００２９
【補正方法】変更
【補正の内容】
【００２９】
例えば、本発明の本実施形態では、2300Kの色温度を有するホライズン光のパラメータ比は、
【数１５】
2015534641.tif 000076
であり、6900Kの色温度を有するデイライトのパラメータ比は、
【数１６】
2015534641.tif 000077
であり、4200Kの色温度を有するクールホワイトのパラメータ比は、
【数１７】
2015534641.tif 000078
である。
【手続補正４】
【補正対象書類名】明細書
【補正対象項目名】００３１
【補正方法】変更
【補正の内容】
【００３１】
前述のステップ１０２における、異なる色温度を有する受信された光の下で、周囲光センサの出力光強度が一致することを可能にするために、色温度に基づいて周囲光センサの出力光強度を調整するステップの処理は、具体的には、
異なるパラメータ比
【数１８】
2015534641.tif 000079
に対して、周囲光センサの出力光強度Luxが一致することを可能にするために、異なるパラメータ比
【数１９】
2015534641.tif 000080
に基づいて、出力光強度の計算式におけるKの値を調整すること
である。
【手続補正５】
【補正対象書類名】明細書
【補正対象項目名】００３２
【補正方法】変更
【補正の内容】
【００３２】
例えば、パラメータ比が
【数２０】
2015534641.tif 000081
であり、K’が
【数２１】
2015534641.tif 000082
に調整され、K’は、調整後の出力光強度の計算式における係数である場合、Kの値の調整は、係数
【数２２】
2015534641.tif 000083
を出力光強度の計算式に追加することに相当する。パラメータ比が
【数２３】
2015534641.tif 000084
である場合、K’は
【数２４】
2015534641.tif 000085
に調整される。パラメータ比が
【数２５】
2015534641.tif 000086
である場合、K’は
【数２６】
2015534641.tif 000087
に調整される。図５に示されるように、Kの値が調整される前は、異なる色温度を有する３種類の周囲光の下で、周囲光センサの出力光強度曲線は異なる傾きを有する。Kの値が調整された後、周囲光センサの出力光強度曲線の傾きは同じであり、すなわち、周囲光センサの出力光強度は、一致する。
【手続補正６】
【補正対象書類名】明細書
【補正対象項目名】００３３
【補正方法】変更
【補正の内容】
【００３３】
好ましくは、異なるパラメータ比
【数２７】
2015534641.tif 000088
に対して、周囲光センサの出力光強度Luxが一致することを可能にするために、異なるパラメータ比
【数２８】
2015534641.tif 000089
に基づいて、出力光強度の計算式におけるKの値を調整するステップの処理は、具体的には、前記パラメータ比
【数２９】
2015534641.tif 000090
に対して、周囲光センサの出力光強度が、周囲光センサによって受信された光の強度と等しくなることを可能にするために、異なるパラメータ比
【数３０】
2015534641.tif 000091
に基づいて、出力光強度の計算式におけるKの値を調整することである。
【手続補正７】
【補正対象書類名】明細書
【補正対象項目名】００３８
【補正方法】変更
【補正の内容】
【００３８】
図６に示されるように、本発明の実施形態はさらに、周囲光センサを提供し、前記周囲光センサは、
周囲光センサによって受信された光の色温度を取得するように構成される取得装置１と、
異なる色温度を有する受信された光の下で、前記周囲光センサの出力光強度が一致することを可能にするために、取得装置によって取得された前記色温度に基づいて周囲光センサの出力光強度を調整するように構成される調整装置２と
を有する。
【手続補正８】
【補正対象書類名】明細書
【補正対象項目名】００４１
【補正方法】変更
【補正の内容】
【００４１】
さらに、図７に示されるように、前述の周囲光センサは、
可視光および赤外光に対して敏感である第１フォトダイオードＤ１と、赤外光に対してのみ敏感である第２フォトダイオードＤ２とをさらに有し、
取得装置１は、
周囲光センサによって受信された光の光スペクトル曲線と、第１フォトダイオード４の光感度曲線と、第２フォトダイオード５の光感度曲線とを取得するように構成されるサブ取得装置１１と、
第１データパラメータCdataを取得するために、周囲光センサによって受信された光の光スペクトル曲線と、第１フォトダイオード４の光感度曲線とを統合するとともに、第２データパラメータIrdataを取得するために、周囲光センサによって受信された光の光スペクトル曲線と、第２フォトダイオード５の光感度曲線とを統合するように構成される統合装置１２と、
パラメータ比
【数３１】
2015534641.tif 000092
を取得するように構成されるパラメータ比計算器１３であって、前記パラメータ比
【数３２】
2015534641.tif 000093
は、周囲光センサによって受信された光の色温度を反映するために使用される、パラメータ比計算器１３と
を有する。
【手続補正９】
【補正対象書類名】明細書
【補正対象項目名】００４２
【補正方法】変更
【補正の内容】
【００４２】
さらに、前述の周囲光センサは、
前述の出力光強度を計算するように構成される出力光強度計算器３であって、出力光強度の計算式は：
Lux = K × MAX [ ( Cdata − B × Irdata ) , ( C × Cdata − D × Irdata ) , 0 ]
であり、Luxは周囲光センサの出力光強度であり、K、B、CおよびDは、周囲光センサの出力光強度が、人間の目によって知覚される光強度に近くなることを可能にするために使用される係数であり、MAXは最大値を取得するための演算記号である、出力光強度計算器３をさらに有し、
調整装置２は、具体的には、異なるパラメータ比
【数３３】
2015534641.tif 000094
に対して、周囲光センサの出力光強度Luxが一致することを可能にするために、異なるパラメータ比
【数３４】
2015534641.tif 000095
に基づいて、出力光強度の計算式におけるKの値を調整するように構成される。
【手続補正１０】
【補正対象書類名】明細書
【補正対象項目名】００４３
【補正方法】変更
【補正の内容】
【００４３】
さらに、調整装置２は、具体的には、
前記パラメータ比
【数３５】
2015534641.tif 000096
に対して、周囲光センサの出力光強度が、周囲光センサによって受信された光の強度と等しくなることを可能にするために、異なるパラメータ比
【数３６】
2015534641.tif 000097
に基づいて、出力光強度の計算式におけるKの値を調整するように構成される。
【手続補正１１】
【補正対象書類名】明細書
【補正対象項目名】００４６
【補正方法】変更
【補正の内容】
【００４６】
本発明の実施形態はさらに電子製品を提供し、前記電子製品は、表示機器と、表示機器に接続される表示の明るさを調整する機器と、前述の周囲光センサとを有し、周囲光センサは、表示の明るさを調整する機器に接続され、表示の明るさを調整する機器は、周囲光センサの出力光強度に基づいて、表示機器の明るさを調整するように構成される。具体的には、周囲光センサの出力光強度が比較的低いとき、すなわち、周囲光の強度が比較的低いとき、表示機器の明るさは低下し、その結果、ユーザは目まいを感じず、電力消費量が低減される。周囲光センサの出力光強度が比較的高いとき、すなわち、周囲光の強度が比較的高いとき、表示機器の明るさは高くなり、ユーザが画面を明確に見ることができないという現象を回避する。周囲光センサの具体的な構造および調整方法は、前述の実施形態における構造および調整方法と同じであり、ここでは繰り返し詳細は説明されない。
【国際調査報告】
2015534641.tif 000098
2015534641.tif 000099
2015534641.tif 000100
2015534641.tif 000101